(57)【特許請求の範囲】
【請求項１】
アーム外周にシューを取付けているテンショナー等のレバーにおいて、上記アームは割型にて成形されるアルミダイキャスト製であって、その断面をＺ型とし、該割型は閉じた状態で形成されるキャビンがＺ型断面を成すと共に、中心軸に対して対称でなく、外周面は一方の割型のキャビンによって、又内周面は他方の割型のキャビンによって成形され、シューはアーム外周に着脱可能な状態で取付けられていることを特徴とするテンショナー等のレバー。
【請求項２】
アーム外周にシューを取付けているテンショナー等のレバーにおいて、上記アームは割型にて成形されるアルミダイキャスト製であって、その断面をＺ型とし、該割型は閉じた状態で形成されるキャビンがＺ型断面を成すと共に、中心軸に対して対称でなく、外周面は一方の割型のキャビンによって、又内周面は他方の割型のキャビンによって成形され、そしてアームの片側面には切欠き溝を形成し、また外周面には穴又は窪みを設けると共にチェーン走行始端部には溝を有し、一方、シューはその裏面をアーム外周面に当接すると共に、片側面に形成したＬ字状係合片を上記アームの切欠き溝に係合し、又シューの裏面に突出した突条片をアーム外周面の上記穴又は窪みに嵌入し、そしてチェーン走行始端部に設けたシューの突起部をアームの溝に嵌合したことを特徴とするテンショナー等のレバー。
【請求項３】
チェーンが走行するシューを着脱可能に取付けてなるテンショナー等のレバーを構成するアームにおいて、該アームは割型にてアルミダイキャスト成形され、その断面をＺ型とし、該割型は閉じた状態で形成されるキャビンがＺ型断面を成すと共に、中心軸に対して対称でなく、外周面は一方の割型のキャビンによって、又内周面は他方の割型のキャビンによって成形されることを特徴とするテンショナーレバー等のアーム。
【発明の詳細な説明】
【０００１】
【発明の属する技術分野】
本発明は駆動軸と従動軸のスプロケットに巻き掛けられたチェーンに、常時適度な緊張力を与えるテンショナーレバー、またテンショナーレバーの反対側に配置されるチェーンガイド及びチェーンダンパーの構造に関するものである。
【０００２】
【従来の技術】
図７は一般的なチェーン駆動装置を表わしているが、チェーン(イ)は駆動軸(ロ)と従動軸(ハ)に取着しているスプロケット(ニ)、(ホ)に巻き掛けられており、該チェーン(イ)はテンショナーレバー(ヘ)によって押圧されて適度な緊張力が常時作用している。従って両スプロケット(ニ)、(ホ)の回転と共に走行するチェーン(イ)の振動を抑制し、従動軸(ハ)へ時間の遅れを生じることなく伝達される。また振動を抑制することでチェーン(イ)に作用する衝撃力はなくなり、チェーン寿命を向上させることが出来る。
【０００３】
ところで、テンショナーレバー(ヘ)はテンショナー(ト)によって押圧されてチェーン(イ)に作用しているが、このテンショナーレバー(ヘ)の形態には色々あり、一般的には金属製アームにゴム製又は樹脂製のシューが接着されたり、またシューがアームと一体的に成形されている。上記シューをアームに接着した場合には剥がれることもあり、又シューをアームと一体成形する場合には成形金型を必要として製作コストは高くなる。
【０００４】
そこで別々に製作したアームとシューを、接着剤を用いることなく組立て・固定したテンショナーレバーが知られている。実公平７−３６２０１号に係る「合成樹脂製シューを備えたチェーンガイドレール」はシューをシュー支持部材に着脱可能に取付けた構造となっている。すなわち、シュー支持部材のチェーン走行始端部にシューに形成した端部フック片を係合し、又シューに形成したＬ字状の側面係合片をシュー支持部材に係合して取着している。
【０００５】
このようにシューはシュー支持部材(アーム)に着脱可能な状態で取付けられることになるが、シューの取付け構造は他にも色々知られている。例えば実用新案登録第２５１９４７６号に係る「テンショナーレバーのシューの浮上がり防止構造」もシューを着脱可能な構造で取付けている１つである。
【０００６】
ところで、従来のテンショナーレバーのアームはアルミ合金を使用してダイキャストされる場合が多いが、強度と軽量化を両立する為には、アーム断面をＩ型にすることが適しているとされる(実開平４−１１９６５４号)。図８はＩ型断面をしたアーム(イ)の外周にシュー(ロ)を取付けている状態を示している。
【０００７】
このＩ型断面をしたアーム(イ)は対を成す割型が使用されてダイキャスト成形される訳であるが、図９は割型(ハ)、(ハ)によりアーム(イ)が成形された状態である。Ｉ型断面にダイキャスト成形されたアーム(イ)は、割型(ハ)、(ハ)を開くことで取り出されるが、アーム(イ)と割型(ハ)、(ハ)が分離し易いように抜き勾配が設けられている。すなわち、成形後に割型(ハ)、(ハ)を開く場合にアーム(イ)が一方の割型(ハ)に残っても、抜き勾配を有していることでアーム(イ)を取り外すことが出来る。逆に、抜き勾配が無ければ、割型(ハ)からアーム(イ)の取外しが容易でない。
【０００８】
図１０には割型(ハ)、(ハ)から取外されたＩ型断面のアームを示しているように、割型(ハ)、(ハ)に抜き勾配があることで上端面は中立から両側へ傾斜したテーパー面(ニ)、(ニ)…となっている。このようなテーパー面(ニ)、(ニ)にシュー(ロ)を取付けることが出来ない為に、アーム上端のテーパー部(図１０の斜線部)を切削で除去している。このアーム上端はシュー(ロ)が取付けられるように、長手方向に滑らかに湾曲して加工されなくてはならず、テーパー部の切削には多くの加工工数を要す。
【０００９】
【発明が解決しようとする課題】
このように、テンショナー等のレバーを構成するアームには上記のごとき問題がある。本発明が解決しようとする課題はこれらの問題点であって、ダイキャスト成形後の二次加工を必要としないアームを提供する。そして、十分な強度・剛性を有し、一方ではシューの取付け・取外しが容易であると共に、位置ズレしたり外れることのないテンショナー等のレバーを提供する。
【００１０】
【課題を解決する為の手段】
本発明に係るテンショナー等のレバーを構成するアームはアルミダイキャスト製とし、その形状は滑らかに湾曲した弓型を成し、そして断面はＺ型をしている。すなわち、共に湾曲した外周片と内周片を有し、外周片と内周片を繋いでいるリブは傾斜していて、断面はＺ型となっている。このようにＺ型断面として構成しても、各部の肉厚が同じであれば断面二次モーメントは従来のＩ型断面と変わりなく、アームの曲げ強度が低下することはない。
【００１１】
そしてＺ型断面のアームはダイキャスト成形され、使用する金型は対を成す割型であるが、該割型に抜き勾配を設けていない。すなわち、断面をＺ型とすることで抜き勾配なくして成形されたアームは割型から容易に取り外し出来る。したがって、アーム外周面にテーパー面は残らず、二次加工で切削・除去する必要はない。
【００１２】
ところで、このアームの外周面に沿ってゴムまたは樹脂等の材質を用いて成形されたシューが取付けられるが、該シューの取付け構造はアームに簡単に取付け・取外しが出来ると共に、位置ズレすることがないようにしている。但し、取付けの具体的な構造は限定しないことにする。以下、本発明に係る実施例を図面に基づいて詳細に説明する。
【００１３】
【実施例】
図１は本発明に係るテンショナーレバーを示す実施例である。テンショナーレバーは湾曲したアーム１とシュー２から成り、シュー２はアーム１の外周に取付けられ、シュー２が磨耗などで損傷した場合には交換することが出来るように、取外し可能な構造となっている。ここで、シュー２の取付け構造は限定しないが、同図に示しているテンショナーレバーでは、シュー２の両端に設けているカギ３，４が、アーム１のチェーン走行始端部側の係止片５と反対側の係止片６にそれぞれ係止している。そしてシュー２の側部にはＬ字状係合片７，７…を有し、アーム１の側部に係合している。
【００１４】
図２は図１のＡ―Ａ断面拡大図であり、テンショナーレバー断面を示す具体例を示している。同図から明らかなように、アーム１の断面はＺ型を成し、互いに平行な外周片８と内周片９を有し、これら外周片８と内周片９は傾斜したリブ１０にて連結されている。
【００１５】
そして外周片８及び内周片９において、リブ１０が連結する基部側は先端より厚く成っており、その為に先端と同じ厚さとした場合に比較して外周片８及び内周片９は単独での曲げ強度は高くなっている。ところで、このアーム１はアルミを材質としてダイキャスト成形され、成形金型は図３に示すように、対を成した割型１１ａ，１１ｂが使用される。
【００１６】
この割型１１ａ，１１ｂは、閉じた状態で形成されるキャビンがＺ型断面を成しているが、中心軸に対して対称ではなく、外周面１２は一方の割型１１ｂのキャビンによって、又内周面１３は他方の割型１１ａのキャビンによって成形される。したがって、上記外周面１２及び内周面１３には両割型１１ａ，１１ｂ間の隙間に生じるバリの発生はなく、しかも抜き勾配としてのテーパー面を設ける必要もない。
【００１７】
Ｚ型断面のアームが割型１１ａ，１１ｂによってアルミダイキャスト成形され、その後この割型１１ａ，１１ｂが開く場合、アームが一方の割型１１ｂ側に残ったとしても内周面１３と接する他方の割型１１ａは離れている為にＺ型断面のアームは割型１１ｂから簡単に外れることになる。そして、外周片８と内周片９を繋いでいるリブ１０は全長にわたって連続したものではなく、所々に貫通穴を設けることも出来、該リブ１０に貫通穴を設ける場合であっても、ダイキャスト成形することは可能である。
【００１８】
ところで、アーム１で最も要求される強度は曲げ強度であって、図１の軸穴１４に嵌る軸を中心として揺動するテンショナーレバーには、シュー２を走行するチェーンからの力が作用し、アーム１を押圧するテンショナーとバランスする。したがって、アーム１には大きな曲げ応力が作用し、この応力に耐え得る強度が必要となる。
【００１９】
図４は従来のＩ型断面と本発明に係るＺ型断面の断面二次モーメントを比較する場合、両者のアーム断面における高さＨ，外周片と内周片間距離ｈ，幅Ｔ、リブ厚さｔとした場合、両者の断面二次モーメントは等しく、したがって曲げ強度も等しくなる。アーム断面をＺ型としたことで曲げ強度が低下することはない。
【００２０】
図５は別の取付け構造にてシュー２を取着したテンショナーレバーを示している。そこで、シュー2の裏面はアーム外周面１２に接し、この場合、チェーン走行始端部の突起部１５は溝に嵌り、Ｌ字状係合片１６，１６…はアーム側面に形成した切欠き溝に係合し、突条片はアーム外周面に形成した穴に嵌合する。
【００２１】
図５のＢ―Ｂ断面拡大図を図６に示している。(ｃ)はシュー2がアーム1に取着している場合であり、(ａ)はシュー２を取外す場合、(ｂ)はシュー2をアーム1に取付ける場合をそれぞれ示している。シュー2の裏面１７には突条片１８が突出し、この突条片１８の断面は直角三角形を形成し、Ｌ字状係合片１６を形成している側は裏面１７から垂直に立ち上る係止面１９となっている。この突条片１８はアーム1の外周面１２に形成した穴２０に嵌合することになるが、係止面１９は穴２０の内面に当接して突条片１８が係止することが出来る。
【００２２】
このシュー2をアーム1から取外す場合には、Ｌ字状係合片１６とは反対側に先の尖った工具を差し込んで突条片１８を穴２０から外すならば、シュー２全体がＬ字状係合片側へ移動して外れる。逆にアーム1にシュー2を取付ける場合には、(ｂ)に示すようにＬ字状係合片１６，１６…をアーム1の側面に形成している切欠き溝(図示なし)に嵌め、その状態で矢印方向へ押圧するならば突条片１８は穴２０に嵌入することが出来る。この場合、チェーン走行始端部の突起部１５も同じく溝に嵌合する。
【００２３】
以上述べたように、本発明に係るテンショナー等のレバーを構成するアームは、Ｚ型断面をなすアルミダイキャスト製とし、そして、このアーム外周にシューを着脱可能に取付けしたものであって、次のような効果を得ることが出来る。
【００２４】
【発明の効果】
本発明のテンショナー等のレバーを構成するアームはアルミダイキャスト製とすると共に、その断面はＺ型をなしている。しかし従来のＩ型断面からなるアームに比較してその断面二次モーメントが低下することはなく、曲げ強度は十分に確保される。
【００２５】
そしてアーム断面をＺ型とすることで、抜き勾配を持たない割型を用いてダイキャスト成形をすることが出来、したがってシューが取付けられるアーム外周面を二次加工する必要がなく、アームの製作工数が削減される。そしてレバーのシューは上記アームの外周に取付けられるが、着脱自在であって、磨耗などで損傷した場合には簡単に交換することが出来る。またシューに設けたＬ字状係合片をアームの切欠き溝に係合すると共に、突条片を穴に嵌入して係止することにより、シューはアームから外れることはなく、又アームから浮上することもない。勿論、シューが側方へ移動することはあり得ない。
【図面の簡単な説明】
【図１】本発明のテンショナーレバーを示す実施例。
【図２】図１のＡ―Ａ断面拡大図。
【図３】本発明のＺ断面のアームをダイキャスト成形する割型。
【図４】本発明のＺ型断面のアームと従来のＩ型断面のアームの断面二次モーメント。
【図５】本発明のテンショナーレバーを示す他の実施例。
【図６】図５のＢ―Ｂ断面拡大図であって、シューの着脱工程。
【図７】テンショナー装置を備えているチェーン伝動装置。
【図８】従来のテンショナーレバーを示すＩ型断面。
【図９】Ｉ型断面のアームをダイキャスト成形する割型。
【図１０】Ｉ型断面のアーム外周に形成されるテーパー面。
【符号の説明】
１  アーム
２  シュー
３  カギ
４  カギ
５  係止片
６  係止片
７  Ｌ字状係合片
８  外周片
９  内周片
10  リブ
11  割型
12  外周面
13  内周面
14  軸穴
15  突起部
16  Ｌ字状係合片
17  裏面
18  突条片
19  係止面
20  穴
【図１】
0004558872.tif 000002
【図２】
0004558872.tif 000003
【図３】
0004558872.tif 000004
【図４】
0004558872.tif 000005
【図５】
0004558872.tif 000006
【図６】
0004558872.tif 000007
【図７】
0004558872.tif 000008
【図８】
0004558872.tif 000009
【図９】
0004558872.tif 000010
【図１０】
0004558872.tif 000011